(57)【特許請求の範囲】
【請求項１】
額縁の枠（１）の前面のガラス板（３）とシート状の部材で密閉した包囲体（２）を形成して、この包囲体を額縁の枠の内側に着脱自在に嵌め込み固定できる構造とし、この包囲体の内部に絵画、書、写真等（４）を入れて掲げる額縁。
【請求項２】
前記包囲体はガラス板の周囲にシート状部材で形成される袋状のカバーで、袋状カバーの開放された端部（１３）を額縁前面のガラス板の周囲に密着して取り付けることにより形成され、その形状はガラス板と同形な方形または矩形の立体構造とする請求項１記載の額縁。
【請求項３】
前記包囲体のシート状部材で形成される袋状のカバーの端部はガラス板に固定または取り外し可能な構造とする請求項１記載の額縁。
【請求項４】
前記包囲体はシート状部材に開閉可能な手段（１０）を有する構造とする請求項１記載の額縁。
【請求項５】
前記包囲体を額縁の内側に嵌め込み固定するための裏蓋（８）を有する構造とする請求項１記載の額縁。
【発明の詳細な説明】
【技術分野】
【０００１】
本発明は絵画、書、写真等を入れて部屋、廊下に掲げる額縁に関するものである。
【背景技術】
【０００２】
従来、絵画、書、写真等は額縁に入れて掲げられている。この場合、額縁は単なる飾りや掲示の手段として使用されている。更に、額縁全体の内部を密閉構造とすると共に内部の空気を不活性ガス等に置換して絵画を保護する方法が知られている。（例えば、特開平１１−１０３９８９号公報参照）
【発明が解決しようとする課題】
【０００３】
従来の絵画、書、写真等は額縁に入れて掲げられている。この場合、額縁には機密性は無く中に入れられた絵画、書、写真等は額縁の置かれた周囲の環境、例えば、空気中の酸素、湿度、微細な埃、化学物質、温度等の影響を直接受けることになる。特に、額縁に入れられた絵画においては、絵の具に含まれる顔料の酸化による変色、空気中の湿度の変化によるひび割れや剥離といった傷みや微細な埃による汚れや黴が発生する。書、写真においても同じような変色、傷み、汚れや黴が発生する。その結果、長年の間にはその傷みも大きく、高価な作品や貴重な作品の場合、修復に掛かる費用も高額になる。更に、額縁に嵌め込まれたガラスにも黴が発生したり、汚れが付いて中に収められた絵画、書、写真が見ずらくなるという問題点があった。
【０００４】
本発明は、絵画、書、写真等の変色、傷み、汚れ、黴等を発生することなく、長期間安定した状態で絵画、書、写真等を掲げておける額縁を提供することを目的としている。
【議題を解決するための手段】
【０００５】
上記目的を達成するために、額縁の前面のガラス板とシート状の部材で密閉した包囲体を形成して、この包囲体を額縁の枠の内側に着脱自在に嵌め込み固定できる構造とし、この包囲体の内部に絵画、書、写真等を入れて掲げる額縁とする。
【０００６】
また、前記包囲体はガラス板の周囲にシート状部材で形成される袋状のカバーで、袋状カバーの開放された端部を額縁前面のガラス板の周囲に密着して取り付けることにより形成され、その形状はガラス板と同形な方形または矩形の立体構造体する。
【０００７】
前記包囲体のシート状部材で形成される袋状のカバーの端部はガラス板に固定または取り外し可能な構造とする。
【０００８】
また、前記包囲体はシート状部材に開閉可能な手段を有する構造とする。
【０００９】
前記包囲体は額縁の内側に嵌め込み固定するための裏蓋を有する構造の額縁とする。
【発明の実施の形態】
【００１０】
発明の実施の形態を実施例にもとづき図面を参照して説明する。
【００１１】
図１において示される実施例において、額縁の枠１にシート状の包囲体２を付けたガラス板３を入れて内部に絵画、書、写真等４を収めた状態である。ガラス板３は額縁の枠１のガラス板３の押さえ部５に押しつけられて固定されるようになっている。包囲体２の内部にはガラス板３の後ろに飾り枠６を入れてこの後ろに支持枠７を入れて、支持枠７と一体となった固定枠１２に絵画、書、写真等４を収め、包囲体２の開閉部１０を閉じて、密閉した状態とし、額縁の枠に入れて裏蓋８を締めて押さえ金具１１で固定したものである。
【００１２】
図２において示される実施例において、包囲体２はシート状の部材で作られた袋状のカバーの開放している端部１３をガラス板３に取り付けて固定した構造であり、包囲体２には絵画、書、写真等４を入れるための開閉手段として、チャック構造の開閉部１０が包囲体２の周囲に設けられている。このガラス板３と一体となった包囲体２は中に収める絵画、書、写真等４およびこれらを支える飾り枠６、支持枠７を収めた状態で額縁の枠１の内側に嵌め込まれる。そして、額縁の枠１の内側に嵌め込まれた状態で裏蓋８で押さえて押さえ金具１１で固定する構造になっている。
【００１３】
包囲体２は飾り枠６、支持枠７と固定枠１２に収められた絵画、書、写真等４を入れるための深さとして少なくとも額縁の枠１の厚さ以上の深さを必要としている。更に、包囲体２には縦または横に開閉自在な密閉機構を有するスライド式の開閉部１０を有し、この開閉部１０より絵画、書、写真等４の出し入れを行うものとする。開閉部１０は絵画４を出し入れするために十分な大きさを有するものとする。
【００１４】
図３において示される実施例において、包囲体２のガラス板３への取り付け部の詳細を示す。シート状部材で作られた包囲体２の開放した部分にはガラス板３への取り付け端部１３が付いている。端部１３の取り付け部の構造は二股で、この二股部は少なくともガラス板３との接触部が５ｍｍ以上とし、この接触部でガラス板３を挟むことにより、ガラス板２とシート状部材で形成される袋状の包囲体２の内部を外部と遮断して密閉構造とすることができるようになっている。もちろん、端部１３はガラス板３と密着性の好い材質で作ることにより高い気密性を維持できる。更に、ガラス板３と二股の端部１３の取り付け部を接着剤で固定することにより、完全な密閉構造とすることができる。
【００１５】
そして、この二股の端部１３は額縁の枠１に嵌め込み易いようにガラス板３に対しＬ字型になっており、シート状の包囲体２が取り付けてあり、一体となっている。端部１３はガラス板３の周囲全体に取り付けてある。しかし、端部１３の形状はＬ字型に限定するものではなくガラス板３とシート状の包囲体２が密着固定できる形状であればどのような形状でもよい。
【００１６】
図４において示される実施例では、形式の異なる額縁に適用したものである。絵画、書、写真等４の作品が額縁の枠１７に単純に嵌め込まれる形式の場合、包囲体１９に絵画、書、写真等４の出し入れ用の開口部を設けづにガラス板３と包囲体１９で絵画、書、写真等４を包み込むようにしたものである。端部１３は伸縮性のある材質で作られており、ガラス板３に二股の端部１３を差し込むことにより、確実に固定出来るようになっている。もちろん、端部１３をガラス板３に嵌めた後で接着剤で端部１３とガラス板３を接着しておけば完全に密閉構造とすることができる。額縁の枠１にこの状態で嵌め込み、紐や固定金具で押さえて額縁に固定して使用するようになっている。
【００１７】
本発明は以上の構成よりなっており、本発明の使用に際しては以下のように実施する。
図１の実施例では、ガラス板とシート状の部材で形成される包囲体の密閉された空間の内部に開閉部より絵画等の作品を入れて密閉する。図５の実施例では、ガラス板の上に絵画を乗せてその上から包囲体を被せていき、包囲体の端部の二股部をガラス板に差し込んで作品を包み込んで固定する。
【００１８】
図１の実施例の場合、裏蓋を額縁の枠体に乗せて固定金具で押さえて固定すればよい。
図５の実施例の場合、額縁の固定枠に差し込めば好く、この状態で通常と同じように展示すればよい。
【００１９】
また、残存する微量の酸素を除去する必要がある場合、包囲体の内部の作品の後ろ側に酸素除去剤を入れればよい。もちろん、包囲体に作品を入れて置けば、密閉空間の内部の空気を特に吸引除去しなくても内部の作品を埃から保護するには十分である。
【００２０】
また、本発明の額縁は、絵画、書、写真等をガラス板と包囲体で形成された密閉空間に入れて保存するものである。そのため、額縁の枠は従来のままで使用できる。そして、密閉空間を形成する包囲体の端部やシート部はポリエステル、ポリカーボネート等の高分子化合物や天然または合成繊維に高分子化合物等をコーティングしたものを使用すればよい。もちろん、強度、耐久性を十分維持できるものであれば材質等上記に限定するものではない。また、端部の形状も限定されたものでは無く、シール性が維持できる形状であればどのようなものでもよい。
【発明の効果】
【００２１】
本発明は、以上説明したように構成されているので、以下に記載されるような効果を奏する。
【００２２】
また、空気中の微細な埃による作品の汚れを防止できるため長期間作品が綺麗な状態に維持できる。
【００２３】
また、ガラスの内面にも黴や埃が付かないため、良好な状態で観賞できる。
【００２４】
また、形状、重量とも従来の額縁に比較してまったく同等であるため、従来と同様な展示ができる。
【００２５】
また、構造が簡単なため、形状や大きさの異なる額縁にも容易に適応が可能である。
また、額縁のガラス板と包囲体で絵画等を包み込む構造であり、額の枠には関係なく使用できるため従来の額縁にもそのまま使用できる。
【図面の簡単な説明】
【００２６】
【図１】  密閉構造を有する額縁の断面図である。
【図２】  包囲体に絵画を収めた場合の断面図である。
【図３】  ガラス板に端部を取り付けた部分の詳細図である。
【図４】  形式の異なる額縁に密閉構造を適用した場合の額縁の断面図である。
【符号の説明】
１    額縁の枠
２    包囲体
３    ガラス板
４    絵画、書、写真等
５    押さえ部
６    飾り枠
７    支持枠
８    裏蓋
９    ノズル
１０  開閉部
１１  押さえ金具
１２  固定枠
１３  端部
１７  額縁の枠
１８  固定枠
１９  包囲体
【図１】
0004697502.tif 000002
【図２】
0004697502.tif 000003
【図３】
0004697502.tif 000004
【図４】
0004697502.tif 000005